【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
入力映像に基づいて出力映像のフレーム画像を順次生成する画像生成手段と、
前記フレーム画像を保持する出力フレーム保持手段と、
該出力フレーム保持手段から前記フレーム画像を順次読み出して出力する出力手段と、
前記画像生成手段の動作に関する変更処理が行われる期間に、前記フレーム画像の前記出力フレーム保持手段への書き込みを禁止する制御手段とを有することを特徴とする画像出力装置。
【請求項２】
入力映像に基づいて出力映像のフレーム画像を順次生成する画像生成手段と、
前記フレーム画像を保持する出力フレーム保持手段と、
該出力フレーム保持手段から前記フレーム画像を順次読み出して出力する出力手段と、
前記画像生成手段の動作に関する変更処理が行われる期間に生成された前記フレーム画像の前記出力フレーム保持手段への書き込みを禁止する制御手段とを有することを特徴とする画像出力装置。
【請求項３】
入力映像に基づいて出力映像のフレーム画像を順次生成する画像生成手段と、
前記フレーム画像を保持する出力フレーム保持手段と、
該出力フレーム保持手段から前記フレーム画像を順次読み出して出力する出力手段と、
前記画像生成手段の動作に関する変更要求に応じて、該変更要求に応じた変更処理が行われる間、該変更処理が行われる前の前記フレーム画像を前記出力フレーム保持手段に保持させる制御手段とを有することを特徴とする画像出力装置。
【請求項４】
前記画像生成手段は、前記入力映像のフレーム画像を保持する入力フレーム保持手段を有し、該入力フレーム保持手段から該フレーム画像を順次読み出して前記出力映像のフレーム画像を生成することを特徴とする請求項１から３のいずれか１つに記載の画像出力装置。
【請求項５】
前記画像生成手段は、解像度変換処理、ガンマ変換処理、色温度変換処理、デジタルズーム処理および歪補正処理のうち少なくとも１つを含む画像処理を行い、
前記変更処理は、前記画像処理に用いるデータ又は設定値を変更する処理であることを特徴とする請求項１から４のいずれか１つに記載の画像出力装置。
【請求項６】
前記変更処理は、前記入力フレーム保持手段に対する書き込みおよび読み出しタイミングの変更処理であることを特徴とする請求項４に記載の画像出力装置。
【請求項７】
前記画像生成手段は、オンスクリーンディスプレイ用の特定フレーム画像を生成し、
前記変更処理は、前記特定フレーム画像の切り換え処理であることを特徴とする請求項１から４のいずれか１つに記載の画像出力装置。
【請求項８】
前記出力手段は、前記出力フレーム保持手段への前記フレーム画像の書き込み周期に対して該出力フレーム保持手段からの読み出し周期を変更することを特徴とする請求項１から７のいずれか１つに記載の画像出力装置。
【請求項９】
請求項１から８のいずれか１つに記載の画像出力装置と、
該画像出力装置からの出力映像を表示する表示手段とを有することを特徴とする画像表示装置。
【請求項１０】
前記表示手段に表示された映像を投射する投射光学系を有することを特徴とする請求項９に記載の画像表示装置。
【手続補正２】
【補正対象書類名】明細書
【補正対象項目名】００１５
【補正方法】変更
【補正の内容】
【００１５】
さらに、他の観点としての本発明の画像出力装置は、入力映像に基づいて出力映像のフレーム画像を順次生成する画像生成手段と、フレーム画像を保持する出力フレーム保持手段と、該出力フレーム保持手段からフレーム画像を順次読み出して出力する出力手段と、画像生成手段の動作に関する変更要求に応じて、該変更要求に応じた変更処理が行われる間、該変更処理が行われる前のフレーム画像を出力フレーム保持手段に保持させる制御手段とを有することを特徴とする。
【手続補正３】
【補正対象書類名】明細書
【補正対象項目名】００１８
【補正方法】変更
【補正の内容】
【００１８】
図１は本発明の実施例１に係る液晶プロジェクタ装置、DLP(Digital Light Processing)プロジェクタ装置等の投射型画像表示装置の構成ブロック図である。１は制御部（制御手段）であり、不図示のＲＯＭに格納された各種プログラムに基づいて、画像表示装置全体の制御を行う。２は映像入力端子９から入力された映像信号の中から同期信号を分離し、制御部１に出力するとともに、制御部１によって設定されるサンプリング周波数、オフセット、ゲインに基づいて各フレーム画像の画素の階調を決定する映像信号入力部である。
【手続補正４】
【補正対象書類名】明細書
【補正対象項目名】００２３
【補正方法】変更
【補正の内容】
【００２３】
このように構成される本実施例の画像表示装置１００は、映像信号入力部２、解像度変換部３、第１のフレームバッファ４及び画質調整部５で構成されるフレーム画像生成部（画像生成手段）１０１が設けられ、該フレーム画像生成部１０１と制御部１、キャラクタジェネレータ１０及び設定パネル１１で画像出力装置１０２として機能する。
【手続補正５】
【補正対象書類名】明細書
【補正対象項目名】００２６
【補正方法】変更
【補正の内容】
【００２６】
まず、期間ｔ１ではフレーム画像Ａが入力され、第２のフレームバッファ７に書き込まれる。続いて期間ｔ２では、フレーム画像Ｂが第２のフレームバッファ７に書き込まれる（Ｓ１０１）。そして、期間ｔ１で書き込まれたフレーム画像Ａが第２のフレームバッファ７よりフレームレート２倍の速度で２回読み出される（Ｓ１０２）。
【手続補正６】
【補正対象書類名】明細書
【補正対象項目名】００２８
【補正方法】変更
【補正の内容】
【００２８】
期間ｔ４では、ガンマ変更処理はフレーム画像のブランキング期間内に終了するので、フレーム更新禁止信号ｃをＬ（更新可能）に変更し、上記変更処理が施されたフレーム画像Ｄを第２のフレームバッファ７に書き込む（Ｓ１０５）。また、この期間ｔ４での出力映像はフレーム画像Ｃが書き込まれていないため、期間ｔ２で書き込まれた（保持された）フレーム画像Ｂが出力される。すなわち、第２のフレームバッファ７へのフレーム画像の書き込み周期に対して該第２のフレームバッファ７からの読み出し周期が変更されて、フレーム画像Ｂが出力される。
【手続補正７】
【補正対象書類名】明細書
【補正対象項目名】００３０
【補正方法】変更
【補正の内容】
【００３０】
具体的には、入力映像の設定時および画像処理実行時等に発生し易い画像の乱れに対応して、少なくともそのフレーム画像の乱れが発生している期間は、第２のフレームバッファ７に対する該乱れたフレーム画像の書き込み（更新）を禁止して、該乱れたフレーム画像を出力せずに、第２のフレームバッファ７に書き込まれた該乱れたフレーム画像の前のフレーム画像を出力する。
【手続補正８】
【補正対象書類名】明細書
【補正対象項目名】００３２
【補正方法】変更
【補正の内容】
【００３２】
また、新たな機器等を追加する必要がないためコスト低減を図ることも可能であり、また、本実施例の上記処理を画像出力装置１０２及び画像表示装置１００の処理又は出力動作の最終段階において適用することでフレーム画像を乱される操作等に対応することができる。
【手続補正９】
【補正対象書類名】図面
【補正対象項目名】図１
【補正方法】変更
【補正の内容】
【図１】
2006071912.tif 000001
【手続補正１０】
【補正対象書類名】図面
【補正対象項目名】図３
【補正方法】変更
【補正の内容】
【図３】
2006071912.tif 000002